(57)【特許請求の範囲】
【請求項１】
複数の無色発光インキ（Ａ１  、Ａ２  ・・・Ａｘ  ・・・Ａｎ  ）の印刷物等の見本の一定波長毎の発光強度（ｐ）を無色発光インキ発光強度測定手段により測定し、前記発光強度（ｐ）から無色発光インキ発光強度パターン作成手段により無色発光インキの発光強度パターン（Ｐ１  、Ｐ２  ・・・Ｐｘ  ・・・Ｐｎ  ）を作成し、
複数の着色インキ（Ｃ１  、Ｃ２  ・・・Ｃｘ  ・・・Ｃｎ  ）の印刷物等の見本の一定波長毎の分光反射率（ｒ）を分光反射率測定手段により測定し、前記分光反射率（ｒ）から分光反射率パターン作成手段により着色インキの印刷物等の見本の分光反射率パターン（Ｒ１  、Ｒ２  ・・・Ｒｘ  ・・・Ｒｎ  ）を作成し、
着色発光インキ発光強度パターン作成手段により前記無色発光インキの印刷物等の見本の発光強度パターン（Ｐ１  、Ｐ２  ・・・Ｐｘ  ・・・Ｐｎ  ）と前記着色インキの印刷物等の見本の分光反射率パターン（Ｒ１  、Ｒ２  ・・・Ｒｘ  ・・・Ｒｎ  ）を積算することにより、複数の着色発光インキ（Ｃ’１、Ｃ’２・・・Ｃ’  ｘ  ・・・Ｃ’  ｎ  ）の印刷物等の見本の発光強度パターン（Ｑ１  、Ｑ２  ・・・Ｑｘ  ・・・Ｑｎ  ）を作成することを特徴とする着色発光インキ発光評価システム。
【請求項２】
前記無色発光インキ発光強度測定手段として蛍光分光光度計を用いることを特徴とする請求項１記載の着色発光インキ発光評価システム。
【請求項３】
前記分光反射率測定手段として分光光度計を用いることを特徴とする請求項１記載の着色発光インキ発光評価システム。
【請求項４】
前記請求項１記載の着色発光インキの印刷物等の見本の発光強度パターン（Ｑ1 、Ｑ2 ・・・Ｑx ・・・Ｑn ）から下記の計算式（１）乃至（４）、
【数１】
0003624252.tif 000011
【数２】
0003624252.tif 000012
【数３】
0003624252.tif 000013
【数４】
0003624252.tif 000014
による計算を行うことにより、色の三刺激値であるＸ、Ｙ、Ｚを計算し、前記三刺激値から色を特定する色特定手段を具備することを特徴とする請求項１に記載の着色発光インキ発光評価システム。
ただし、ｐnmは無色発光インキの印刷物等の発光強度、ｒmは分光反射率、ｘm、ｙm、ｚmはスペクトル三刺激値、mは波長である。
【請求項５】
前記着色発光インキの印刷物等の見本の発光強度パターン（Ｑ１  、Ｑ２  ・・・Ｑｘ  ・・・Ｑｎ  ）から着色発光インキの印刷物等の見本の発光エネルギー量ＥＣ  を計算し、前記無色発光インキの印刷物等の見本の発光強度パターン（Ｐ１  、Ｐ２  ・・・Ｐｘ  ・・・Ｐｎ  ）から無色発光インキの印刷物等の見本の発光エネルギー量ＥＡ  を計算し、前記着色発光インキの印刷物等の見本の発光エネルギー量ＥＣ  を無色発光インキの印刷物等の見本の発光エネルギー量ＥＡ  で割算することにより複数の着色発光インキの印刷物等の見本毎の発光強度比Ｉ（Ｉ１  、Ｉ２  ・・・Ｉｘ  ・・・Ｉｎ  ）を計算する発光強度比計算手段を具備することを特徴とする請求項１記載の着色発光インキ発光評価システム。
【請求項６】
前記請求項５記載の複数の着色発光インキの印刷物等の見本毎の発光強度比Ｉ（Ｉ１  、Ｉ２  ・・・Ｉｘ  ・・・Ｉｎ  ）を夫々各着色発光インキ（Ｃ’１、Ｃ’２・・・Ｃ’  ｘ  ・・・Ｃ’  ｎ  ）の印刷物等の見本と対応させて登録し、前記各着色発光インキ毎の発光強度比Ｉ（Ｉ１  、Ｉ２  ・・・Ｉｘ  ・・・Ｉｎ  ）から所定の発光強度比以上の着色発光インキの種類及びその発光強度比を検索・抽出する発光強度比検索手段を具備することを特徴とする請求項５記載の着色発光インキ発光評価システム。
【請求項７】
前記請求項４記載の色特定手段により特定された色の種類及び／又は前記請求項６記載の発光強度比検索手段により検索・抽出された所定の発光強度比以上の着色発光インキの種類及びその発光強度比を、文字又はカラーで表示する表示手段を具備することを特徴とする請求項４又は６に記載の着色発光インキ発光評価システム。
【発明の詳細な説明】
【０００１】
【発明の属する技術分野】
本発明は、着色発光インキの印刷物等の発光強度パターンと発光強度比及び発光色を演算、表示する演算表示装置に関するものである。
【０００２】
【従来の技術】
着色発光インキとは、その印刷物が通常の可視域の光の下では、着色インキの色に見え、紫外線を照射すると可視光発光するインキで、通常一般的な着色インキに、紫外線照射で発光する発光顔料を配合して作製する。発光顔料の発光色は種々のものがあり、着色顔料を配合しない透明なインキに配合すると、発光顔料本来の発光色で発光する。しかし、着色インキに発光顔料を配合した場合、配合する着色インキによっては、発光顔料の発光色本来の色とは異なる発光を示したり、ほとんど発光を示さなくなったりすることがある。例えば、黒インキに発光顔料を配合しても、ほとんど発光しない。従来、どのような発光色の顔料を、どのような色相の着色インキに加えた時に発光強度が低下せず、強い発光を示すかを知ることはできず、また、どのような発光色を示すかを知ることはできず、着色発光インキは、実際にインキを作製して、さらに印刷物等を作製し、発光色や発光強度を確認し、評価していた。
【０００３】
このような方法では、所望の発光強度を得るために、発光顔料の配合率と着色インキの種類を選択し、実際に着色発光インキを製造するには、何度もインキを作製する必要があり工数がかかっている。また、組み合わせる着色インキの色相・濃度によっては、極めて微弱な発光をするインキを作製してしまう場合がある。さらに、発光強度を高くするために、印刷適性を犠牲にするほど多量に発光顔料を配合してしまうこともあるという問題が生じていた。
【０００４】
【発明が解決しようとする課題】
本発明は前記のような問題点を解消するためになされたもので、本発明の目的は、着色発光インキを実際に作製することなく、着色インキの分光反射率と無色発光インキの発光強度パターンから、着色発光インキの印刷物等の発光強度の割合と発光色とを演算し、表示することにより、着色発光試験インキ作製の工程を少なくし、着色発光インキを得るまでの工程を減らし、納期を早めるとともにコストを低減することにある。
【０００５】
【課題を解決するための手段】
本発明は、複数の無色発光インキ（Ａ１  、Ａ２  ・・・Ａｘ  ・・・Ａｎ  ）の印刷物等の見本の一定波長毎の発光強度（ｐ）を無色発光インキ発光強度測定手段により測定し、前記発光強度（ｐ）から無色発光インキ発光強度パターン作成手段により無色発光インキの発光強度パターン（Ｐ１  、Ｐ２  ・・・Ｐｘ  ・・・Ｐｎ  ）を作成し、複数の着色インキ（Ｃ１  、Ｃ２  ・・・Ｃｘ  ・・・Ｃｎ  ）の印刷物等の見本の一定波長毎の分光反射率（ｒ）を分光反射率測定手段により測定し、前記分光反射率（ｒ）から分光反射率パターン作成手段により着色インキの印刷物等の見本の分光反射率パターン（Ｒ１  、Ｒ２  ・・・Ｒｘ  ・・・Ｒｎ  ）を作成し、着色発光インキ発光強度パターン作成手段により前記無色発光インキの印刷物等の見本の発光強度パターン（Ｐ１  、Ｐ２  ・・・Ｐｘ  ・・・Ｐｎ  ）と前記着色インキの印刷物等の見本の分光反射率パターン（Ｒ１  、Ｒ２  ・・・Ｒｘ  ・・・Ｒｎ  ）を積算することにより、複数の着色発光インキ（Ｃ’１、Ｃ’２・・・Ｃ’  ｘ  ・・・Ｃ’  ｎ  ）の印刷物等の見本の発光強度パターン（Ｑ１  、Ｑ２  ・・・Ｑｘ  ・・・Ｑｎ  ）を作成することを特徴とする着色発光インキ発光評価システムである。
【０００６】
本発明は、前記無色発光インキ発光強度測定手段として蛍光分光光度計を用いる着色発光インキ発光評価システムである。
【０００７】
本発明は、前記分光反射率測定手段として分光光度計を用いる着色発光インキ発光評価システムである。
【０００８】
本発明は前記着色発光インキ（Ｃ’1 、Ｃ’2・・・Ｃ’x・・・Ｃ’n）の印刷物等の見本の発光強度パターン（Ｑ1、Ｑ2・・・Ｑx・・・Ｑn）から下記の計算式（１）乃至（４）、
【数５】
0003624252.tif 000002
【数６】
0003624252.tif 000003
【数７】
0003624252.tif 000004
【数８】
0003624252.tif 000005
による計算を行うことにより、色の三刺激値であるＸ、Ｙ、Ｚを計算し、前記三刺激値から色を特定する色特定手段を具備する着色発光インキ評価システムであ
る。
ただし、ｐnmは無色発光インキの印刷物等の発光強度、ｒmは分光反射率、ｘm、ｙm、ｚmはスペクトル三刺激値、mは波長である。
【０００９】
本発明は、前記着色発光インキ（Ｃ’１、Ｃ’２・・・Ｃ’  ｘ  ・・・Ｃ’  ｎ  ）の印刷物等の見本の発光強度パターン（Ｑ１  、Ｑ２  ・・・Ｑｘ  ・・・Ｑｎ  ）から着色発光インキの印刷物等の見本の発光エネルギー量ＥＣ  を計算し、前記無色発光インキの印刷物等の見本の発光強度パターン（Ｐ１  、Ｐ２  ・・・Ｐｘ  ・・・Ｐｎ  ）から無色発光インキの印刷物等の見本の発光エネルギー量ＥＡ  を計算し、前記着色発光インキの印刷物等の見本の発光エネルギー量ＥＣ  を無色発光インキの印刷物等の見本の発光エネルギー量ＥＡ  で割算することにより複数の着色発光インキの印刷物等の見本毎の発光強度比Ｉ（Ｉ１  、Ｉ２  ・・・Ｉｘ  ・・・Ｉｎ  ）を計算する発光強度比計算手段を具備する着色発光インキ発光評価システムである。
【００１０】
本発明は、前記複数の着色発光インキの印刷物等の見本毎の発光強度比Ｉ（Ｉ１  、Ｉ２  ・・・Ｉｘ  ・・・Ｉｎ  ）を夫々各着色発光インキ（Ｃ’１、Ｃ’２・・・Ｃ’  ｘ  ・・・Ｃ’  ｎ  ）の印刷物等の見本と対応させて登録し、前記各着色発光インキ毎の発光強度比Ｉ（Ｉ１  、Ｉ２  ・・・Ｉｘ  ・・・Ｉｎ  ）から所定の発光強度比以上の着色発光インキの種類及びその発光強度比を検索・抽出する発光強度比検索手段を具備する着色発光インキ発光評価システムである。
【００１１】
本発明は、前記色特定手段により特定された色の種類及び／又は前記発光強度比検索手段により検索・抽出された所定の発光強度比以上の着色発光インキの種類及びその発光強度比を、文字又はカラーで表示する表示手段を具備する着色発光インキ発光評価システムである。
【００１２】
【発明の実施の形態】
以下、本発明の実施の形態について説明する。
本発明は、着色発光インキ作製の工程の削減のために、着色発光インキを実際に作製することなく、着色インキの分光反射率と無色発光インキの発光強度パターンから、着色発光インキの印刷物等の発光強度の割合と発光色とを演算し、表示する着色発光インキ発光評価システムである。
着色発光インキ発光評価システムの概要は、以下のとおりである。
無色発光インキの印刷物等見本を蛍光分光光度計で測定すると、波長毎の発光強度のデータからなる無色発光インキ発光強度パターンが得られる。これらの発光強度パターンを無色発光インキ発光強度パターン記憶手段に記憶して、データベース化しておく。一方、着色インキの印刷物等色見本を分光光度計で測定すると、波長毎の反射率のデータからなる反射率パターンが得られる。この反射率パターンを分光反射率パターン記憶手段に記憶する。以上の記憶された無色発光インキ発光強度パターンのデータと分光反射率パターンのデータから、発光顔料毎に着色発光インキ発光強度パターン作成手段により着色発光インキの印刷物等の発光強度パターンのデータを得る。発光強度比計算手段では、無色発光インキの印刷物等見本の発光強度に対する着色発光インキの印刷物等の発光強度の割合すなわち発光強度比を発光顔料毎に計算する。発光色計算手段では、着色発光インキ発光強度パターン計算手段によって算出された着色発光インキの印刷物等の発光強度パターンから、発光色（三刺激値等）を算出する。発光強度比検索手段では、得られた発光強度比を比較し、最大の発光強度比を示す発光顔料を検索したり、一定の値以上の発光強度比を示す発光顔料を抽出したりする。以上の計算結果を、発光強度比・検索結果・発光色表示手段で表示する。
【００１３】
【実施例】
図１はこの発明に係る着色発光インキ発光評価システムの機能ブロック図である。着色発光インキ発光評価システム１は、複数の無色発光インキＡ（Ａ１  ，Ａ２  ，Ａ３  ……，Ａｎ  ）の印刷物等見本Ａについて波長毎の発光強度（ｐ）を測定する蛍光分光光度計２と、蛍光分光光度計２で測定された複数の無色発光インキＡの印刷物等の見本の一定波長毎の発光強度（ｐ）から発光強度パターンのデータＰ（ｐｎ１，ｐｎ２，ｐｎ３，……，ｐｎｍ）を作成する無色発光インキ発光強度パターン作成部３と、前記発光強度パターンのデータＰ（ｐｎ１，ｐｎ２，ｐｎ３，……，ｐｎｍ）を記憶する無色発光インキ発光強度パターン記憶部４と、複数の着色インキＣの印刷物等の見本について波長毎の反射率（ｒ）を測定する分光光度計５と、分光光度計５で測定された上記反射率（ｒ）から反射率パターンのデータＲ（ｒｎ１，ｒｎ２，ｒｎ３，……，ｒｎｍ）を作成する着色インキ分光反射率パターン作成部６と、前記反射率パターンのデータＲを記憶する分光反射率パターン記憶部７と、無色発光インキＡの印刷物等の見本の無色発光インキ発光強度パターンのデータＰと前記着色インキＣの印刷物等の見本の反射率パターンのデータＲを積算して着色発光インキＣ’の印刷物等の見本の発光強度パターンのデータＱ（ｑｎ１，ｑｎ２，ｑｎ３，……，ｑｎｍ）を求める着色発光インキ発光強度パターン作成部８と、前記着色発光インキＣ’の印刷物等の見本の発光強度パターンのデータＱを記憶する着色発光インキ発光強度パターン記憶部９と、前記着色発光インキの印刷物等の見本Ｃ’の発光強度パターンのデータＱから着色発光インキＣ’（Ｃ’１，Ｃ’２，Ｃ’３……，Ｃ’  ｎ  ）の印刷物等の見本の発光エネルギー量ＥＣ  を計算する着色発光インキ発光エネルギー量計算部１０と、前記無色発光インキＡの印刷物等の見本の無色発光インキ発光強度パターンのデータＰから無色発光インキＡの印刷物等の見本の発光エネルギー量ＥＡ  を計算する無色発光インキエネルギー量計算部１１と、前記着色発光インキＣ’の印刷物等の見本の発光エネルギー量ＥＣ  を前記無色発光インキＡの印刷物等の見本Ａの発光エネルギー量ＥＡ  で割算することにより複数の着色発光インキＣ’の印刷物等の見本毎の発光強度比Ｉ（Ｉ１  ，Ｉ２  ，Ｉ３  ……，Ｉｎ  ）を計算する発光強度比計算部１２と、前記複数の着色発光インキの印刷物等の見本Ｃ’毎の発光強度比Ｉを夫々各着色発光インキＣ’（Ｃ’１，Ｃ’２，Ｃ’３……，Ｃ’  ｎ  ）の印刷物等の見本と対応させて登録する発光強度比登録部１３と、前記発光強度比登録部１３に登録された各着色発光インキ毎の発光強度比Ｉ（Ｉ１  ，Ｉ２  ，Ｉ３  ……，Ｉｎ  ）から所定の発光強度比以上の着色発光インキの種類及びその発光強度比を検索・抽出する発光強度比検索部１４と、前記着色発光インキＣ’の印刷物等の見本の発光強度パターンのデータＱから色の三刺激値であるＸ、Ｙ、Ｚを計算する発光色計算部１５と、前記色の三刺激値から色を特定する色特定部１６と、前記発光強度比検索部１４により検索・抽出された所定の発光強度比以上の着色発光インキの種類及び／又は前記色特定部１６により特定された色の種類を文字又はカラー表示する表示部１��とから構成される。
【００１４】
なお、無色発光インキ発光強度パターン作成部３、着色インキ分光反射率パターン作成部６、着色発光インキ発光強度パターン作成部８、着色発光インキ発光エネルギー量計算部１０、無色発光インキエネルギー量計算部１１、発光強度比計算部１２、発光強度比検索部１４、発光色計算部１５、色特定部１６等はデータプロセッサＤＰ（点線枠で囲った部分）内のデータ処理部ＤＰＵに個別に存在するように示されているが、メモリＭＭに格納されたシステム動作用プログラム（後述の動作フローチャートのような動作・制御を行う）を用いたデータ処理部ＤＰＵの制御・演算機能により、夫々の処理動作を行う。
また、無色発光インキ発光強度パターン記憶部４、分光反射率パターン記憶部７、着色発光インキ発光強度パターン記憶部９、発光強度比登録部１３等はデータプロセッサＤＰ（点線枠で囲った部分）内のメモリＭＭ内にその領域を設定することにより、達成することができる。更に、必要に応じて、着色発光インキ発光エネルギー量及び無色発光インキエネルギー量を記憶する記憶部を設けても良い。
【００１５】
無色発光インキ発光強度パターンのデータＰ（ｐｎ１，ｐｎ２，ｐｎ３，……，ｐｎｍ）とは、無色発光インキの印刷物等見本に、特定の波長（２５４ｎｍ  又は３６５ｎｍ  等）の紫外光を照射した時の、可視光域（３８０ｎｍ  〜７８０ｎｍ  まで等）の波長毎（例えば１０ｎｍ毎）の発光強度のデータの配列である。分光反射率パターンのデータｒ１，ｒ２，ｒ３，  ……，ｒｍ  とは、波長毎（例えば１０ｎｍ毎）の色見本の反射率のデータの配列である。
【００１６】
図２〜４はこの発明に係る着色発光インキ発光評価システム１の動作の概略を示すフローチャート、図５は無色発光インキ発光強度パターン記憶部４の概略構成、図６は分光反射率パターン記憶部５の概略構成、図７は着色発光インキ発光強度パターン記憶部９の概略構成、図８は着色発光インキ発光エネルギー量ＥＣ  を記憶する着色発光インキ発光エネルギー量記憶部（図１では省略）の概略構成、図９は無色発光インキ発光エネルギー量ＥＡ  を記憶する無色発光インキ発光エネルギー量記憶部（図１では省略）の概略構成、図１０は発光強度比登録部１３の概略構成、図１１は三刺激値登録部（図１では省略）の概略構成をそれぞれ示す。更に、図１２は無色発光インキ発光強度パターンのデータをプロットして線で結んだグラフ、図１３は反射率パターンのデータをプロットして線で結んだグラフ、図１４は両パターンのデータから演算される着色発光インキ発光強度パターンのデータをプロットして線で結んだグラフである。
【００１７】
以下、図１及び図２〜４のフローチャートを用いて、本発明の着色発光インキ発光評価システム１の動作を説明する。
【００１８】
種々の発光顔料を１種以上含む多種の無色発光インキＡ（Ａ１  ，Ａ２  ，Ａ３  ……，Ａｎ  ）の印刷物等見本について、特定の波長の紫外線を照射した時の、波長毎の発光強度をそれぞれ蛍光分光光度計２で測定する（ステップＳ１）。
見本は一定の条件で作製された展色物か又は印刷物が望ましい。
【００１９】
無色発光インキ発光強度パターン作成部３により、前記波長毎の発光強度のデータから図１２の発光強度パターンのグラフとして示す無色発光インキ発光強度パターンのデータＰ（ｐｎ１，ｐｎ２，ｐｎ３，……，ｐｎｍ）を作成する（ステップＳ２）。
【００２０】
これらの発光強度パターンのデータＰを無色発光インキ発光強度パターン記憶部４に発光顔料毎に記憶し、データベース化する（ステップＳ３）。
【００２１】
一方、着色インキＣの印刷物等の色見本について波長毎の反射率を分光光度計５で測定する（ステップＳ４）。
【００２２】
着色インキ分光反射率パターン作成部６により、前記波長毎の反射率データから図１３の反射率パターンのグラフとして示す着色インキ分光反射率パターンのデータＲ（ｒｎ１，ｒｎ２，ｒｎ３，……，ｒｎｍ）を作成する。（ステップＳ５）。
【００２３】
この反射率パターンのデータＲを分光反射率パターン記憶部７に記憶する（ステップＳ６）。
【００２４】
着色発光インキ発光強度パターン作成部８では、無色発光インキの発光強度パターンのデータＰと反射率パターンのデータＲから、各波長毎に乗算することにより、着色発光インキＣ’（Ｃ’１，Ｃ’２，Ｃ’３……，Ｃ’  ｎ  ）の印刷物等の発光強度パターンのデータＱ（ｑｎ１，ｑｎ２，ｑｎ３，……，ｑｎｍ）を得る（ステップＳ７）。
【００２５】
反射率ｒmは可視光を照射した時の反射してくる割合であるため、１−ｒmの割合の可視光が着色顔料によって吸収される。同様に着色発光インキの印刷物等に紫外線を照射した時の可視域の発光のうち、着色顔料によって１−ｒmの割合が吸収され、ｒmの割合の光がインキ皮膜表面から放出される。したがって、着色発光インキＣ’nの印刷物等の発光強度は、無色発光インキＡnの発光強度をｐnmとするとｐnm×ｒmによって計算され、図１４に示すような着色発光インキ発光強度パターンのデータＱのグラフが得られる。
【００２６】
前記着色発光インキ発光強度パターンのデータＱは着色発光インキ発光強度パターン記憶部９に記憶される（ステップＳ８）。
【００２７】
着色発光インキ発光エネルギー量計算部１０により前記着色発光インキの発光強度パターンのデータＱから着色発光インキＣ’の発光エネルギー量ＥＣ  を計算する（ステップＳ９）。
【００２８】
無色発光インキ発光エネルギー量計算部１１により前記無色発光インキの発光強度パターンのデータＰから無色発光インキＡの発光エネルギー量ＥＡ  を計算する（ステップＳ１０）。
【００２９】
発光強度比計算部１２により、前記着色発光インキＣ’の発光エネルギー量ＥＣ  を前記無色発光インキＡの発光エネルギー量ＥＡ  で割算することにより、発光強度比Ｉを計算する。無色発光インキＡの発光エネルギー量ＥＡ  に対する着色発光インキのＣ’の発光エネルギー量ＥＣ  の割合として計算する（ステップＳ１１）。
即ち、Ｉ＝着色発光インキの印刷物等の発光エネルギー／無色発光インキの印刷物等見本の発光エネルギーで、これを下記数式（５）で表現することができる。
【００３０】
【数９】
0003624252.tif 000006
ただし、ｐnmは無色発光インキの印刷物等の発光強度、ｒmは着色インキの分光反射率である。
【００３１】
前記発光強度比Ｉ（Ｉ１  ，Ｉ２  ，Ｉ３  ，……，Ｉｎ  ）を夫々各着色発光インキＣ’（Ｃ’１，Ｃ’２，Ｃ’３……，Ｃ’  ｎ  ）の印刷物等の見本と対応させて発光強度比登録部１３に登録する（ステップＳ１２）。
【００３２】
発光強度比検索部１４により、前記各着色発光インキ毎の発光強度比Ｉ（Ｉ１  ，Ｉ２  ，Ｉ３  ……，Ｉｎ  ）から所定の発光強度比以上の着色発光インキの種類及びその発光強度比を検索・抽出する（ステップＳ１３）。
【００３３】
発光色計算部１５により、着色発光インキの印刷物等の発光色を、前記着色発光インキ発光強度パターンのデータＱから、物体色の計算と同様に三刺激値（次式）として求める（ステップＳ１４）。
【００３４】
【数１０】
0003624252.tif 000007
【数１１】
0003624252.tif 000008
【数１２】
0003624252.tif 000009
【数１３】
0003624252.tif 000010
ただし、ｐnmは無色発光インキの印刷物等の発光強度、ｒmは分光反射率、ｘm、ｙm、ｚmはスペクトル三刺激値、mは波長である。三刺激値が求まれば、他の色表示法の値も逐次求められる。
【００３５】
発光色特定部１６により、前記三刺激値から色を特定する（ステップＳ１５）。
【００３６】
前記ステップＳ１３において得られた発光強度比の検索結果及び前記ステップＳ１４において特定された色の種類等を表示部１７に表示する（ステップＳ１６）。
【００３７】
その表示結果を見て、発光強度比が所望の発光強度比を上回っている発光顔料があれば、その発光顔料を着色発光インキに採用し、所望の発光強度比が得られない場合は採用しない。
【００３８】
【発明の効果】
本発明により、実際に着色発光インキを作製しなくても、発光顔料を加えた着色インキの印刷物等の発光色と発光強度比を知ることができるので、着色発光インキ作製の工数、及びデザイン選定の工数が削減される。また、インキ材料等の過剰な配合量が抑制され、微弱な発光を示す着色発光インキを製造する等の無駄をなくすことができる。
【図面の簡単な説明】
【図１】本発明の着色発光インキ発光評価システムの機能ブロック図である。
【図２】本発明の着色発光インキ発光評価システムの動作の概略を示すフローチャートである。
【図３】本発明の着色発光インキ発光評価システムの動作の概略を示すフローチャートである。
【図４】本発明の着色発光インキ発光評価システムの動作の概略を示すフローチャートである。
【図５】本発明の着色発光インキ発光評価システムの無色発光インキ発光強度パターン記憶部４の概略構成を示す図である。
【図６】本発明の着色発光インキ発光評価システムの分光反射率パターン記憶部の概略構成を示す図である。
【図７】本発明の着色発光インキ発光評価システムの着色発光インキ発光強度パターン記憶部の概略構成を示す図である。
【図８】本発明の着色発光インキ発光評価システムの着色発光インキ発光エネルギー量ＥＣ  を記憶する着色発光インキ発光エネルギー量記憶部（図１では省略）の概略構成を示す図である。
【図９】本発明の着色発光インキ発光評価システムの無色発光インキ発光エネルギー量ＥＡ  を記憶する無色発光インキ発光エネルギー量記憶部（図１では省略）の概略構成を示す図である。
【図１０】本発明の着色発光インキ発光評価システムの発光強度比登録部の概略構成を示す図である。
【図１１】本発明の着色発光インキ発光評価システムの三刺激値登録部（図１では省略）の概略構成を示す図である。
【図１２】本発明の着色発光インキ発光評価システムの無色発光インキ発光強度パターンＰのデータのグラフである。
【図１３】本発明の着色発光インキ発光評価システムの反射率パターンＲのデータのグラフである。
【図１４】本発明の着色発光インキ発光評価システムの着色発光インキ発光強度パターンＱのデータのグラフである。
【符号の説明】
Ａ      複数の無色発光インキの印刷物
２      蛍光分光光度計（無色発光インキ発光強度測定）
３      無色発光インキ発光強度パターン作成部
４      無色発光インキ発光強度パターン記憶部
Ｃ      着色インキの印刷物
５      分光光度計（着色インキ分光反射率測定）
６      着色インキ分光反射率パターン作成部
７      着色インキ分光反射率パターン記憶部
８      着色発光インキ発光強度パターン作成部
９      着色発光インキ発光強度パターン記憶部
１０    着色発光インキ発光エネルギー量計算部
１１    無色発光インキ発光エネルギー量計算部
１２    発光強度比計算部
１３    発光強度比登録部
１４    発光強度比検索部
１５    発光色計算部
１６    三刺激値から色を特定する色特定部
１７    表示部
ＤＰ    データプロセッサ
ＤＰＵ  データ処理部
ＭＭ    メモリ
【図１】
0003624252.tif 000015
【図２】
0003624252.tif 000016
【図３】
0003624252.tif 000017
【図４】
0003624252.tif 000018
【図５】
0003624252.tif 000019
【図６】
0003624252.tif 000020
【図７】
0003624252.tif 000021
【図８】
0003624252.tif 000022
【図９】
0003624252.tif 000023
【図１０】
0003624252.tif 000024
【図１１】
0003624252.tif 000025
【図１２】
0003624252.tif 000026
【図１３】
0003624252.tif 000027
【図１４】
0003624252.tif 000028